(57)【要約】【課題】札押えが紙幣を押えている状態の紙幣収納部に対して容易に紙幣の取り出し及び収納を行うことができる。【解決手段】ドロワ筐体に収納されて手前側に引出自在な引出しに設けられた上面開口の紙幣収納部１０に、一端を自由端として他端が紙幣収納部１０の奥側に配置されて引出方向と直交する軸回りに回動自在に支持されたアーム２３と、アーム２３の自由端に設けられて引出方向と直交する軸回りに回転自在なローラ２５とを有する札押え１５を備えさせて、ローラ２５が紙幣収納部１０に収納された紙幣Ｂと当接して紙幣を押えるようにした。【選択図】図３
2007128301.tif 000002
【特許請求の範囲】
【請求項１】
ドロワ筐体と、
前記ドロワ筐体に収納されて、手前側にスライドして引き出される引出方向に引出自在な引出しと、
前記引出しに設けられた上面開口の紙幣収納部と、
一端を自由端として他端が前記紙幣収納部の奥側に配置されて前記引出方向と直交する軸回りに回動自在に支持されたアームと、前記自由端に設けられて前記引出方向と直交する軸回りに回転自在なローラとを有し、前記ローラが前記紙幣収納部に収納された紙幣と当接して紙幣を押える札押えと、
を備えるドロワ装置。
【請求項２】
前記札押えは、前記アームの前記自由端から側方に向けて延出する指受け部を備える、請求項１記載のドロワ装置。
【請求項３】
前記札押えは、自重により前記紙幣収納部に収納された紙幣を押える、請求項２記載のドロワ装置。
【請求項４】
前記アームの前記他端の配置位置は、前記引出方向と直交する方向に変更自在である、請求項３記載のドロワ装置。
【発明の詳細な説明】
【技術分野】
【０００１】
本発明は、ドロワ装置に関する。
【背景技術】
【０００２】
ドロワ装置は、ＥＣＲ（Ｅｌｅｃｔｒｏｎｉｃ  Ｃａｓｈ  Ｒｅｇｉｓｔｅｒ：電子式キャッシュレジスタ）やＰＯＳ（Ｐｏｉｎｔ  ｏｆ  Ｓａｌｅｓ：販売時点管理）端末等の商品販売データ処理装置による商品販売データ処理に連動して金銭を出し入れするための装置である。
【０００３】
従来、ドロワ筐体（キャビネット）から引出自在な引出し（キャッシュボックス）に形成された紙幣収納部には、札押えが設けられている。札押えは、特許文献１に記載されているように、紙幣収納部の奥側に一端が回転自在に取り付けられ、手前側の自由端で紙幣を押圧する構造のものである。したがって、紙幣収納部に対して紙幣を収納する場合、紙幣収納部に設けられた札押えを持ち上げてから紙幣を収納し、再び札押えを下ろして収納した紙幣を押えさせる。また、紙幣収納部から紙幣を取り出す場合にも同様に、札押えを持ち上げてから紙幣を取り出す。
【０００４】
【特許文献１】特開２０００−２７６６５４公報
【発明の開示】
【発明が解決しようとする課題】
【０００５】
ところが、このような札押えを上下方向に昇降させる作業は、ドロワ装置を操作するオペレータにとって決済作業時の時間ロスの原因となっている。
【０００６】
ここで、特許文献１には、キャッシュボックスが引き出されるに伴って札押えが上方に持ち上がる機構をドロワ装置に備えさせた技術が開示されている。この技術を用いれば、札押えを昇降させる作業をすることなく紙幣の収納等が行い得る。しかし、キャッシュボックスを引き出すだけで札押えが持ち上がってしまうため、紙幣収納部に収納されている紙幣は乱れ易く、また、必要のない紙幣収納部まで開放されることから紙幣の紛失等にもつながりかねない。
【０００７】
キャッシュボックスが引き出された際にも、紙幣収納部の札押えは紙幣を押えている状態が望ましいが、前述したように、札押えを上下方向に昇降させる作業はオペレータにとって時間のロスとなってしまう。
【０００８】
本発明の目的は、札押えが紙幣を押えている状態の紙幣収納部に対して容易に紙幣の取り出し及び収納ができるドロワ装置を提供することである。
【課題を解決するための手段】
【０００９】
本発明のドロワ装置は、ドロワ筐体と、前記ドロワ筐体に収納されて、手前側にスライドして引き出される引出方向に引出自在な引出しと、前記引出しに設けられた上面開口の紙幣収納部と、一端を自由端として他端が前記紙幣収納部の奥側に配置されて前記引出方向と直交する軸回りに回動自在に支持されたアームと、前記自由端に設けられて前記引出方向と直交する軸回りに回転自在なローラとを有し前記ローラが前記紙幣収納部に収納された紙幣と当接して紙幣を押える札押えと、を備える。
【発明の効果】
【００１０】
本発明によれば、紙幣と当接しているローラが回転自在であるため、その紙幣を引き出すだけで、ローラが回転されて、札押えが紙幣を押えている状態の紙幣収納部から紙幣を容易に取り出すことができる。また、ローラと紙幣との接触面に紙幣を差し込むと、ローラが回転されて紙幣を滑り込ませることができるので、札押えが紙幣を押えている状態の紙幣収納部に紙幣を容易に収納することができる。
【発明を実施するための最良の形態】
【００１１】
本発明の実施の一形態を図１ないし図８に基づいて説明する。
【００１２】
図１は、本発明の実施の一形態のドロワ装置１をＥＣＲ３と共に示す外観斜視図である。上面にＥＣＲ３が載置されたドロワ装置１は、薄型偏平な筐体であって前面に開口部２ａを有するドロワ筐体としてキャビネット２と、キャビネット２に収納されて開口部２ａから引出自在な上面開口の引出しとしてキャッシュボックス４とから構成されている。以下、キャッシュボックス４が開口部２ａから引き出される方向を引出方向と称する。
【００１３】
図２は、キャッシュボックス４を示す分解斜視図である。キャッシュボックス４は、キャッシュボックス４に着脱自在に収納される上面開口のマネーケース５と、マネーケース５の手前側に形成されて商品券等の取引に関わる券を収納する券収納部６と、マネーケース５の奥側に複数の仕切板１１によって仕切られて形成されて紙幣を金種別に収納する上面開口の紙幣収納部１０と、券収納部６に着脱自在に収納されて硬貨を金種別に収納するための複数の硬貨収納部９が形成されたコインケース８とを備える。なお、図２では、マネーケース５及び仕切板１１の一部を切り欠いて示している。
【００１４】
また、マネーケース５の奥側端部には、紙幣収納部１０が並ぶ方向に長く、直角をなして形成された支持部１３が設けられている。そして、紙幣収納部１０には、この支持部１３に取り付けられて紙幣収納部１０に収納された紙幣を押える札押え１５が備えられている。
【００１５】
図３は、札押え１５を拡大して示す斜視図である。札押え１５は、マネーケース５奥側の支持部１３に固定された札押えベース２１に、手前側を自由端としたアーム２３の後端が回動自在に取り付けられており、この自由端に回転自在に設けられているローラ２５が紙幣収納部１０に収納された紙幣Ｂと当接して紙幣Ｂを押えるものである。このとき、アーム２３は、札押えベース２１に設けられて引出方向と直交する方向（以下、幅方向と称する）と平行なアーム軸２２に軸支されて回動自在であり、ローラ２５は、アーム２３の自由端に設けられてアーム軸２２と平行なローラ軸２４に軸支されて回転自在である。
【００１６】
また、アーム２３の自由端の両側面には、側方に向けて延出する指受け部として一対の指受け２６が備えられている。なお、札押え１５を構成する札押えアーム２３、ローラ２５、指受け２６等は、樹脂（例えばプラスチック）等で形成されている。
【００１７】
札押えベース２１は、支持部１３の上面と当接する平面部２１ａと、支持部１３の前面と当接するコの字形状の軸保持部２１ｂとからなる。ここで、支持部１３の上面及び平面部２１ａにはそれぞれネジ孔が形成されており、ネジ１４がこれらのネジ孔に対して嵌め込まれることで、札押えベース２１は支持部１３に対して着脱自在に取り付けられている。また、平面部２１ａと軸保持部２１ｂとは直角をなして一体成形されており、この直角と支持部１３がなす直角とが重なって札押えベース２１は支持部１３と当接して固定されているため、札押えベース２１はネジ１４を支点に回動しない構成となっている。なお、支持部１３に形成されているネジ孔は幅方向に複数個設けられており、札押えベース２１はこの幅方向に取付位置を異ならせて固定できるようになっている。つまり、アーム２３の配置位置が幅方向に変更自在となっている（図７及び図８参照）。そして、コの字形状の軸保持部２１ｂには対向配置されて一対の軸孔が形成されており、この軸孔にアーム軸２２が嵌め込まれて固定されている。
【００１８】
アーム２３は、両端部が丸みを帯びた板形状の一対のアーム板２３ａとブリッジ部２３ｂとからなり、後端から自由端に向けて幅方向に幅が狭くなっている。アーム板２３ａの後端には軸孔が形成されてアーム軸２２が貫通していることから、アーム２３は自由端が上下方向に昇降するようにアーム軸２２を支点に回動自在となっている。また、アーム板２３ａの自由端には、軸孔が形成されてローラ軸２４が嵌め込まれて固定されている。このとき、ローラ軸２４はアーム軸２２の軸方向と平行に設けられている。なお、アーム２３は側面から見て僅かにつぶれるように湾曲した形状である（図４ないし図６参照）。
【００１９】
ローラ２５は、ローラ軸２４に軸支されて回転自在に設けられており、アーム板２３ａ等によって何ら回転に制限を受けるものではない。また、幅方向に一定の厚みを有しており、この厚み部分が紙幣収納部１０に収納された紙幣Ｂと当接する。
【００２０】
指受け２６は、楕円を斜めに切断したような形状を有する板状部材であり、指受け２６の厚み部分がアーム板２３ａの側面と接触するように指受け２６とアーム板２３ａとは一体成形されている。ここで、指受け２６は、アーム板２３ａの側面の下側縁部に沿うようにしてアーム板２３ａと一体成形されている平面状の平面部２６ａと、アーム板２３ａの手前側の丸みを帯びた端部の形状に合わせて後端側から自由端側に向けて上方に反り上がるように湾曲してアーム板２３ａと一体成形されている湾曲部２６ｂとからなる。また、一対の指受け２６はアーム２３に対して対称な位置に位置付けられている。
【００２１】
そして、紙幣収納部１０に収納された紙幣Ｂは、紙幣収納部１０の底面に支えられ、ローラ２５が一番上の紙幣Ｂと当接して、札押え１５によって上面から押えられている。このとき、アーム２３はアーム軸２２回りに回動自在であり、紙幣Ｂは札押え１５の自重によって押えられている。
【００２２】
このような構成において、紙幣収納部１０からの紙幣の取り出し作業について図４に基づいて説明する。
【００２３】
図４は、紙幣を取り出す場合の紙幣収納部１０を示す縦断側面図である。ここで、紙幣の取り出しに際しては、紙幣収納部１０に収納されている紙幣Ｂａの一番上に載置されてローラ２５と当接している紙幣Ｂｂを摘んで手前側に取り出すことになる。このとき、札押え１５は自重によって紙幣Ｂａ、Ｂｂを押えていることから紙幣Ｂｂを押える力は比較的弱く、また、回転自在なローラ２５は、図４に示すように、紙幣Ｂｂが引き出されると共に回転されるため、札押え１５を上方に持ち上げて紙幣Ｂｂの押えを解除したりすることなく、収納された紙幣Ｂｂを摘んで手前に引き出すだけで、容易に紙幣Ｂｂを取り出すことができる。
【００２４】
次に、紙幣収納部１０への紙幣の収納作業について図５ないし図７に基づいて説明する。
【００２５】
図５は、コシのある紙幣を収納する場合の紙幣収納部１０を示す縦断側面図である。収納される紙幣Ｂｃは、紙幣収納部１０に既に収納されて札押え１５に押えられている紙幣Ｂｄの一番上に新たに載置されることになる。
【００２６】
前述したように、札押え１５が紙幣Ｂｄを押える力は比較的弱く、また、紙幣Ｂｄと当接するローラ２５は回転自在であるため、例えば新札のように紙幣Ｂｃにコシがある場合、ローラ２５と紙幣Ｂｄとの接触面に紙幣Ｂｃの端部を直接差し込むと、回転自在に設けられたローラ２５は回転されて、その接触面に紙幣Ｂｃを滑り込ませることができる。そして、さらに紙幣Ｂｃを紙幣収納部１０の奥側に押し込み、紙幣Ｂｄに紙幣Ｂｃを重ねることで、紙幣Ｂｃを容易に紙幣収納部１０に収納することができる。
【００２７】
ところが、紙幣は使用されるとコシがなくなるので、そのような紙幣をローラ２５と紙幣Ｂｄとの接触部分に差し込むと、紙幣の方が負けて曲がってしまい、ローラ２５を回転させて滑り込ませることができない。そこで、コシのない紙幣を紙幣収納部１０に収納する場合について説明する。
【００２８】
図６は、コシのない紙幣を収納する場合の紙幣収納部１０を示す縦断側面図であり、図７は、その平面図である。なお、右手で紙幣Ｂｃを収納する場合について説明する。
【００２９】
まず、紙幣Ｂｃを右側から親指とそれ以外の指との間に挟みこむようにして手で掴み、その手をアーム２３の右側面に位置する指受け２６と紙幣Ｂｄとの間に進入させ、進入させた手の親指を指受け２６の湾曲部２６ｂの下面に当接させてアーム２３の自由端を浮き上がらせ、ローラ２５と紙幣Ｂｄとの間に隙間を形成させる。そして、紙幣Ｂｃを掴んだ手を紙幣収納部１０の奥側に押し込んで紙幣Ｂｃをこの隙間に差し込む。このとき、奥側に手を押し込むことで、指受け２６は支えがなくなり、浮き上がっていたアーム２３の自由端は自重により落下して、ローラ２５は紙幣Ｂｃと当接する。しかし、ローラ２５は回転自在であるため、ローラ２５を回転させながら、紙幣Ｂｃを奥側に滑らせることができる。そして、紙幣Ｂｃを紙幣Ｂｄの上に重ねさせて収納を終える。このようにして、コシのない紙幣Ｂｃであっても、札押え１５を片手で持ち上げたりすることなく、紙幣収納部１０に対して容易に収納することができる。
【００３０】
このとき、指受け２６は前述したように湾曲部２６ｂを有し、最前端で上方に反り上がって湾曲した形状であるため、指受け２６の下方に紙幣Ｂｃを掴んだ手の親指を滑り込ませ易くなっている。
【００３１】
なお、図６及び図７においては、紙幣Ｂｃを右手で掴んで収納する場合について説明したが、紙幣Ｂｃを左手で収納する場合は、アーム２３の左側面に位置する指受け２６の下面に左手の指を当接させてアーム２３を浮き上がらせるようにする。このように、指受け２６はアーム２３の両側面に形成されているため、左右両方の利き腕に対応させて紙幣Ｂｃを収納することができる。
【００３２】
次に、札押え１５の取付位置の変更について説明する。前述したように、図７に示すように、支持部１３に形成されているネジ孔は幅方向に複数個設けられている。つまり、札押えベース２１の平面部２１ａの下面に位置してネジ１４が嵌め込まれているネジ孔１３ａ、及び、同じく平面部２１ａ下面に位置してネジ孔１３ａの両側に位置する点線で示すネジ孔１３ｂ、１３ｃが設けられている。
【００３３】
ここで、札押えベース２１を固定するネジ１４をネジ孔１３ａから取り外して、札押え１５を幅方向にスライド移動させた後、再びネジ１４を平面部２１ａのネジ孔と支持部１３のネジ孔１３ｂとに嵌め込んで固定することで、札押え１５は幅方向に取付位置が変更される。
【００３４】
図８は、札押え１５の取付位置を異ならせた紙幣収納部１０を示す平面図である。札押え１５の取付位置を左側に変更させることで、図７で示した取付位置の紙幣収納部１０よりも、紙幣収納部１０の右側部分に幅方向に広くスペースが形成されるため、右手で紙幣Ｂｃを掴んで収納するに際して、手を紙幣収納部１０に入れ易くなり、作業性を向上させることができる。
【００３５】
さらに、札押え１５の取付位置は、ネジを平面部２１ａのネジ孔とネジ孔１３ｃに嵌め込むことで、図７で示した取付位置よりも右側に変更できる。その場合、紙幣収納部１０の左側部分に幅広くスペースが形成されて、左手で紙幣を掴んで収納するに際しての作業性を向上させることができ、左右両方の利き腕に対応させて作業性を向上させることができる。
【図面の簡単な説明】
【００３６】
【図１】本発明の実施の一形態のドロワ装置をＥＣＲと共に示す外観斜視図である。
【図２】キャッシュボックスを示す分解斜視図である。
【図３】札押えを拡大して示す斜視図である。
【図４】紙幣を取り出す場合の紙幣収納部を示す縦断側面図である。
【図５】コシのある紙幣を収納する場合の紙幣収納部を示す縦断側面図である。
【図６】コシのない紙幣を収納する場合の紙幣収納部を示す縦断側面図である。
【図７】コシのない紙幣を収納する場合の紙幣収納部を示す平面図である。
【図８】札押えの取付位置を異ならせた紙幣収納部を示す平面図である。
【符号の説明】
【００３７】
１…ドロワ装置、２…ドロワ筐体（キャビネット）、４…引出し（キャッシュボックス）、１０…紙幣収納部、１５…札押え、２３…アーム、２５…ローラ、２６…指受け部（指受け）
【図１】
2007128301.tif 000003
【図２】
2007128301.tif 000004
【図３】
2007128301.tif 000005
【図４】
2007128301.tif 000006
【図５】
2007128301.tif 000007
【図６】
2007128301.tif 000008
【図７】
2007128301.tif 000009
【図８】
2007128301.tif 000010